(57)【要約】  送信装置は、データマッピングタイプＢ及び複数の繰り返し送信を設定された物理共有チャネルを送信する送信部と、前記物理共有チャネルの時間リソースが所定条件を満たす場合、１スロット内に前記複数の繰り返し送信を行うことを制御する制御部と、を有する。
2019193732.tif 000002
【特許請求の範囲】
【請求項１】
データマッピングタイプＢ及び複数の繰り返し送信を設定された物理共有チャネルを送信する送信部と、
前記物理共有チャネルの時間リソースが所定条件を満たす場合、１スロット内に前記複数の繰り返し送信を行うことを制御する制御部と、を有することを特徴とする送信装置。
【請求項２】
前記所定条件は、前記複数の繰り返し送信が１スロット内に収まることであることを特徴とする請求項１に記載の送信装置。
【請求項３】
前記所定条件は、設定グラントに基づく前記物理共有チャネルの周期が１スロット以下であることであることを特徴とする請求項１に記載の送信装置。
【請求項４】
前記物理共有チャネルの時間リソースが所定条件を満たす場合、前記制御部は、前記物理共有チャネルに設定された開始シンボルからの連続シンボルに、前記複数の繰り返し送信をマップすることを特徴とする請求項１から請求項３のいずれかに記載の送信装置。
【請求項５】
前記物理共有チャネルの時間リソースが所定条件を満たさない場合、前記制御部は、繰り返し回数の連続するスロットのそれぞれにおいて、前記物理共有チャネルに設定された開始シンボルからの連続シンボルに、１つの繰り返し送信をマップすることを特徴とする請求項１から請求項４のいずれかに記載の送信装置。
【請求項６】
データマッピングタイプＢ及び複数の繰り返し送信を設定された物理共有チャネルを受信する受信部と、
前記物理共有チャネルの時間リソースが所定条件を満たす場合、１スロット内の前記複数の繰り返し送信の受信を制御する制御部と、を有することを特徴とする受信装置。
【発明の詳細な説明】
【技術分野】
【０００１】
本発明は、次世代移動通信システムにおける送信装置及び受信装置に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）において、１ｍｓのサブフレーム（伝送時間間隔（ＴＴＩ：Transmission  Time  Interval）などともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００５】
また、無線基地局（例えば、ｅＮＢ（eNode  B））は、ユーザ端末（ＵＥ：User  Equipment）に対するデータの割当て（スケジューリング）を制御し、下り制御情報（ＤＣＩ：Downlink  Control  Information）を用いてデータのスケジューリング指示をＵＥに通知する。例えば、既存のＬＴＥ（例えば、ＬＴＥ  Ｒｅｌ．８−１３）に準拠するＵＥは、ＵＬ送信を指示するＤＣＩ（ＵＬグラントとも呼ばれる）を受信した場合に、所定期間後（例えば、４ｍｓ後）のサブフレームにおいて、ＵＬデータの送信を行う。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、ＮＲ）においては、所定期間（例えば、スロット）単位でデータのスケジューリングを制御することが検討されている。あるいは、スロットに含まれる１以上のシンボル単位（例えば、ミニスロット、サブスロットとも呼ぶ）でデータのスケジューリングを制御することも検討されている。【０００８】
また、ＮＲでは、スロット単位のスケジューリング（スロットベーススケジューリング、データマッピングタイプＡ）及び／又はミニスロット単位のスケジューリング（ミニスロットベーススケジューリング、データマッピングタイプＢ）において繰り返し送信（repetition）を行うことも検討されている。【０００９】
例えば、ミニスロットベーススケジューリングを適用することにより、所定期間においてデータ等の繰り返し送信（mini-slot  repetition）を行うことが考えられる。一方で、各データの繰り返し送信（例えば、送信に利用する時間リソースの割当て等）をどのように制御するかについてまだ十分に検討が進んでいない。繰り返し送信が適切に行われなければ、通信スループット及び／又は通信品質などの劣化が生じるおそれがある。【００１０】
そこで、本開示では、繰り返し送信を適切に行うことができる送信装置及び受信装置を提供することを目的の１つとする。
【課題を解決するための手段】
【００１１】
本発明の一態様に係る送信装置は、データマッピングタイプＢ及び複数の繰り返し送信を設定された物理共有チャネルを送信する送信部と、前記物理共有チャネルの時間リソースが所定条件を満たす場合、１スロット内に前記複数の繰り返し送信を行うことを制御する制御部と、を有することを特徴とする。
【発明の効果】
【００１２】
本発明によれば、繰り返し送信を適切に行うことができる。
【図面の簡単な説明】
【００１３】
【図１】図１は、ミニスロットアグリゲーション機構の一例を示す図である。
【図２】図２は、第１の態様における繰り返し送信制御の一例を示す図である。
【図３】図３は、オプション２−１における繰り返し送信制御の一例を示す図である。
【図４】図４は、オプション２−２における繰り返し送信制御の一例を示す図である。
【図５】図５は、第３の態様に係るミニスロットアグリゲーションの一例を示す図である。
【図６】図６は、第３の態様に係るスロットアグリゲーションの一例を示す図である。
【図７】図７は、本発明の一実施形態に係る無線通信システムの概略構成の一例を示す図である。
【図８】図８は、本発明の一実施形態に係る無線基地局の全体構成の一例を示す図である。
【図９】図９は、本発明の一実施形態に係る無線基地局の機能構成の一例を示す図である。
【図１０】図１０は、本発明の一実施形態に係るユーザ端末の全体構成の一例を示す図である。
【図１１】図１１は、本発明の一実施形態に係るユーザ端末の機能構成の一例を示す図である。
【図１２】図１２は、本発明の一実施形態に係る無線基地局及びユーザ端末のハードウェア構成の一例を示す図である。
【発明を実施するための形態】
【００１４】
＜スロットベーススケジューリング及びミニスロットベーススケジューリング＞
将来の無線通信システム（例えば、ＬＴＥ  Ｒｅｌ．１４、１５以降、５Ｇ、ＮＲなど。以下、ＮＲともいう）においては、スロットベースのスケジューリング及びミニスロットベースのスケジューリングを利用してデータ等の送信を行うことが検討されている。
【００１５】
スロットは、送信の基本単位（basic  transmission  unit）の１つであり、１スロットは所定数のシンボルで構成される。例えば、ノーマルＣＰ（Normal  CP）ではスロット期間が第１のシンボル数（例えば、１４シンボル）で構成され、拡張ＣＰ（Extended  CP）ではスロット期間が第２のシンボル数（例えば、１２シンボル）で構成される。
【００１６】
ミニスロットは、所定値（例えば、１４シンボル（又は、１２シンボル））以下のシンボル数で構成される期間に相当する。一例として、ＤＬの送信（例えば、ＰＤＳＣＨ送信）において、ミニスロットは所定数（例えば、２、４又は７のシンボル数）で構成してもよい。
【００１７】
スロットベーススケジューリング（ＰＤＳＣＨマッピングタイプＡ）と、ミニスロットベーススケジューリング（ＰＤＳＣＨマッピングタイプＢ）は、異なるリソースの割当て方法が適用される構成としてもよい。
【００１８】
ＤＬ（例えば、ＰＤＳＣＨ送信）において、スロットベーススケジューリング（ＰＤＳＣＨマッピングタイプＡとも呼ぶ）を適用する場合を想定する。この場合、スロットにおけるＰＤＳＣＨの開始位置は予め設定された候補シンボルから選択され、ＰＤＳＣＨの割当てシンボル数（ＰＤＳＣＨ長）は所定値（Ｘ）から１４までの範囲から選択される。開始位置の候補となる候補シンボルは、例えば、スロット内の所定シンボルインデックス（例えば、＃０、＃１、＃２、＃３）に相当する。Ｘは例えば３である。
【００１９】
ＤＬ（例えば、ＰＤＳＣＨ送信）において、ミニスロットベーススケジューリング（ＰＤＳＣＨマッピングタイプＢとも呼ぶ）を適用する場合を想定する。この場合、ＰＤＳＣＨの割当てシンボル数（ＰＤＳＣＨ長）は予め設定された候補シンボル数から選択され、スロットにおけるＰＤＳＣＨの開始位置はスロットのいずれかの場所（シンボル）に設定する。ＰＤＳＣＨ長の候補シンボル数は、例えば、所定数（２、４、又は７シンボル）に相当する。つまり、ＰＤＳＣＨの開始位置は柔軟に設定される。
【００２０】
ＵＬ（例えば、ＰＵＳＣＨ送信）において、スロットベーススケジューリング（ＰＵＳＣＨマッピングタイプＡとも呼ぶ）を適用する場合を想定する。この場合、スロットにおけるＰＤＳＣＨの開始位置は予め設定された候補シンボル（例えば、所定シンボルインデックス＃０）から選択され、ＰＤＳＣＨの割当てシンボル数（ＰＤＳＣＨ長）は所定値（Ｙ）から１４までの範囲から選択される。Ｙは例えば４である。
【００２１】
ＵＬ（例えば、ＰＵＳＣＨ送信）において、ミニスロットベーススケジューリング（ＰＵＳＣＨマッピングタイプＢとも呼ぶ）を適用する場合を想定する。この場合、ＰＤＳＣＨの割当てシンボル数（ＰＤＳＣＨ長）は予め設定された候補シンボル数（１〜１４シンボル数）から選択され、スロットにおけるＰＤＳＣＨの開始位置はスロットのいずれかの場所（シンボル）に設定する。つまり、ＰＤＳＣＨの開始位置は柔軟に設定される。
【００２２】
このように、ミニスロットベーススケジューリングは、２、４、又は７シンボルで構成され、スタートシンボル位置を柔軟に設定することができるＰＤＳＣＨ及び／又はＰＵＳＣＨ送信であってもよい。一方、ミニスロットベーススケジューリングでないＰＤＳＣＨは、スタートシンボル位置がスロット内の第０〜３シンボルであり、所定のシンボル長以上のＰＤＳＣＨであるとしてもよい。また、ミニスロットベーススケジューリングでないＰＵＳＣＨは、スタートシンボル位置がスロット内の第０シンボルであり、所定のシンボル長以上のＰＵＳＣＨであるとしてもよい。
【００２３】
ミニスロットベーススケジューリングでないＰＤＳＣＨ及びＰＵＳＣＨは、ＰＤＳＣＨ／ＰＵＳＣＨマッピングタイプＡ、ミニスロットベーススケジューリングのＰＤＳＣＨ及びＰＵＳＣＨは、ＰＤＳＣＨ／ＰＵＳＣＨマッピングタイプＢと呼ばれてもよい。また、ＰＤＳＣＨ／ＰＵＳＣＨのマッピングタイプに応じて、異なる位置にＤＭＲＳが挿入されるものとしてもよい。さらに、いずれのマッピングタイプのＰＤＳＣＨ／ＰＵＳＣＨとするかは、上位レイヤシグナリング（例えば、ＲＲＣシグナリング）によって設定されるものとしてもよいし、ＤＣＩによって通知されるものとしてもよいし、両者の組み合わせによって認識されるものとしてもよい。
【００２４】
ＰＤＳＣＨマッピングタイプＡ及びＰＵＳＣＨマッピングタイプＡは、データマッピングタイプＡと呼ばれてもよい。ＰＤＳＣＨマッピングタイプＢ及びＰＵＳＣＨマッピングタイプＢは、データマッピングタイプＢと呼ばれてもよい。
【００２５】
また、ＮＲでは、データ送信において繰り返し送信を適用することが検討されている。例えば、基地局（ネットワーク（ＮＷ）、ｇＮＢ）は、ＤＬデータ（例えば、下り共有チャネル（ＰＤＳＣＨ））の送信を所定回数だけ繰り返して行う。あるいは、ＵＥは、ＵＬデータ（例えば、上り共有チャネル（ＰＵＳＣＨ））を所定回数だけ繰り返して行う。
【００２６】
スロットベーススケジューリングが適用される場合、複数スロットにわたってスロット毎にデータを割当てて繰り返し送信（inter-slot  repetition）を行うことが考えられる。スロットベーススケジューリングでは、スロット単位（各スロット内）でデータの割当てが制御されるため、スロット境界をまたがってデータが割当てられる構成とはならない。
【００２７】
一方で、ミニスロットベーススケジューリングが適用される場合、所定のシンボル数単位でデータが繰り返し送信される。そのため、繰り返し送信回数（例えば、Ｋ、ｒｅｐＫ、repetition  factorなど）、データの割当て単位（各繰り返し送信のデータ長）、及び繰り返し送信が適用される期間等によっては、複数の繰り返し送信（データ割当て）のうちある一つの送信（データ割当て）がスロット境界（slot-boundary）をまたぐ（cross）ケースが生じることが考えられる。
【００２８】
＜動的グラント送信及び設定グラント送信（タイプ１、タイプ２）＞
ＮＲにおいては、低遅延の通信を実現するため、動的なＵＬグラント（dynamic  grant、dynamic  UL  grant）に基づいてＵＬ信号（例えば、ＰＵＳＣＨ）を送信する動的グラントベース送信（dynamic  grant-based  transmission、ＤＧ送信）に加えて、上位レイヤによって設定されたＵＬグラント（例えば、configured  grant、configured  UL  grant）に基づいてＵＬデータを送信する設定グラントベース送信（configured  grant-based  transmission、ＣＧ送信）を適用することが検討されている。動的グラント及び設定グラントのそれぞれは、実際のＵＬグラント（actual  UL  grant）と呼ばれてもよい。
【００２９】
ＤＧ送信は、ＤＧ（dynamic  grant-based）  ＰＵＳＣＨ（Physical  Uplink  Shared  Channel）、動的グラントを伴うＵＬ送信（UL  Transmission  with  dynamic  grant）、動的グラントを伴うＰＵＳＣＨ（PUSCH  with  dynamic  grant）、ＵＬグラントありのＵＬ送信（UL  Transmission  with  UL  grant）、ＵＬグラントベース送信（UL  grant-based  transmission）、動的グラントによってスケジュールされる（送信リソースを設定される）ＵＬ送信、と呼ばれてもよい。
【００３０】
ＣＧ送信は、ＣＧ（configured  grant-based）  ＰＵＳＣＨ、設定グラントを伴うＵＬ送信（UL  Transmission  with  configured  grant）、設定グラントを伴うＰＵＳＣＨ（PUSCH  with  configured  grant）、ＵＬグラントなしのＵＬ送信（UL  Transmission  without  UL  grant）、ＵＬグラントフリー送信（UL  grant-free  transmission）、設定グラントによってスケジュールされる（送信リソースを設定される）ＵＬ送信、と呼ばれてもよい。また、ＣＧ送信は、ＵＬ  セミパーシステントスケジューリング（ＳＰＳ：Semi-Persistent  Scheduling）の１種類として定義されてもよい。
【００３１】
ＣＧ送信の制御について、いくつかのタイプ（タイプ１、タイプ２など）が検討されている。
【００３２】
ＣＧタイプ１送信において、ＣＧ送信に用いるパラメータ（ＣＧ送信パラメータ、ＣＧパラメータなどと呼ばれてもよい）は、上位レイヤシグナリングのみを用いてＵＥに設定される。ＣＧパラメータは、例えばＣＧリソースを特定する情報を含んでもよい。ＣＧパラメータは、例えば周期（periodicity）を含んでもよい。また、ＣＧ送信が設定されている場合であっても、送信バッファにデータがない場合は、ＵＥはＣＧ送信をスキップしてもよい。
【００３３】
ＣＧタイプ２送信において、ＣＧ送信に用いるパラメータは、上位レイヤシグナリングによってＵＥに設定される。ＣＧパラメータは、例えば周期（periodicity）を含んでもよい。既存のＬＴＥにおけるＳＰＳと同様に、ＵＥは、所定のアクティベーション／ディアクティベーション信号に基づいて、ＣＧ送信用のリソース（ＣＧリソースなどと呼ばれてもよい）を用いた送信を行うか否かを判断することができる。また、ＣＧ送信がアクティベートされている場合であっても、送信バッファにデータがない場合は、ＵＥはＣＧ送信をスキップしてもよい。ＤＣＩ（アクティベーションシグナリング）が、ＳＰＳ（Semi-Persistent  Scheduling）によって設定されるＰＵＳＣＨをアクティベート（トリガ）し、ＤＣＩ（ディアクティベーションシグナリング）又は所定時間（タイマ）の経過が、ＰＵＳＣＨを解放（release、deactivate）してもよい。
【００３４】
また、ＧＢ送信のＤＬ又はＵＬ送信において、複数のスロット又はミニスロットにわたる送信が、ＴＢの繰り返し送信（repetitions）であってもよい。この繰り返し送信は、ＲＶ（Redundancy  Version）系列にしたがって行われてもよい。
【００３５】
＜スロットアグリゲーション及びミニスロットアグリゲーション＞
複数のスロットを統合（aggregation）（バンドリング（bundling）と呼ばれてもよい）するスロットアグリゲーション（スロットバンドリングと呼ばれてもよい）が検討されている。複数のミニスロットを統合するミニスロットアグリゲーション（ミニスロットバンドリングと呼ばれてもよい）が検討されている。スロットアグリゲーション及びミニスロットアグリゲーションがそれぞれ、２つのタイプとして呼ばれてもよい。
【００３６】
また、次のようなミニスロットアグリゲーション機構（mechanism）が検討されている。
【００３７】
ミニスロットアグリゲーション機構は、１スロット内のＴＢの繰り返し送信（repetition）に対するリソース割り当てを適用する。
【００３８】
スロットベースの繰り返し送信の場合に関し、最初のＴＢ送信のタイミングオフセットは、ＴＢ送信の開始シンボル及び長さのジョイント指示（例えば、ＳＬＩＶ（Start  and  Length  Indicator  Value））に基づいて決定される。繰り返し送信及び／又はアグリゲーションのリソースは、最初のＴＢ送信に続き、同じ時間長を有し、すなわち、連続的に割り当てられる。
【００３９】
１スロット内の繰り返し送信がスロット境界をまたぐ場合、繰り返し送信は、次のスロット内のＴＢ送信に使用可能な最初の有効なシンボルまで延期されてもよい。例えば、ＰＵＳＣＨ送信の場合、ＴＢ送信に使用可能な有効シンボルは、ＰＵＳＣＨ長以上にわたって連続するＵＬシンボルである。
【００４０】
図１の例では、繰り返し回数Ｋが４に設定され、開始がシンボル＃４であり長さが４シンボルであるＰＵＳＣＨがスケジュールされる。
【００４１】
ＵＥは、スロット＃ｎのシンボル＃４−＃７へＰＵＳＣＨ送信＃１（送信＃１）を配置する。更に、ＵＥは、ＰＵＳＣＨ送信＃１に続くシンボル＃８−＃１１へＰＵＳＣＨ送信＃２（送信＃２）を配置する。ＰＵＳＣＨ送信＃２に続くＰＵＳＣＨ送信をスロット＃ｎ内に配置できない（当該ＰＵＳＣＨ送信がスロット境界を跨ぐことになる）ため、ＵＥは、ＰＵＳＣＨ送信＃３（送信＃３）を次のスロット＃ｎ＋１へ延期し、配置可能なシンボル＃０−＃３へ配置する。更に、ＵＥは、ＰＵＳＣＨ送信＃３に続くシンボル＃４−＃７へＰＵＳＣＨ送信＃４（送信＃４）を配置する。このように、ミニスロットアグリゲーション機構は１つのスロット内に複数のＰＵＳＣＨ送信を配置することができる。
【００４２】
また、スロットアグリゲーションがＵＥに設定される場合、ＵＬの複数スロットにわたって同じシンボル割り当てが用いられ、ＴＢは複数スロットにわたって繰り返されることが検討されている。スロットアグリゲーションが設定される場合、その設定は、ＤＬ及びＵＬの両方に対してランク１（シングルレイヤ）のみに制限されてもよい。
【００４３】
＜スロットアグリゲーション及びミニスロットアグリゲーションにおける問題＞
しかしながら、スロットアグリゲーション及びミニスロットアグリゲーションがどのようなものであるか、スロットアグリゲーション及びミニスロットアグリゲーションがデータマッピングタイプＡ及びデータマッピングタイプＢとどのような関係にあるか、について決められていない。よって、データマッピングがタイプＡである場合、又はタイプＢである場合に、繰り返し送信構造がどのようになるかが決められていない。
【００４４】
そこで、本発明者等は、データマッピングタイプに対する繰り返し送信の方法について検討し、本発明に至った。
【００４５】
以下、本発明に係る実施形態について、図面を参照して詳細に説明する。各実施形態に係る無線通信方法は、それぞれ単独で適用されてもよいし、組み合わせて適用されてもよい。
【００４６】
なお、以下の実施形態では、任意の信号及びチャネルに関して、ＮＲ用であることを示す「ＮＲ−」の接頭語が付与されて読み替えられてもよい。また、以下の説明では、ＵＬにおけるＵＬデータ（ＰＵＳＣＨ）の繰り返し送信を例に挙げるが、ＤＬにおけるＤＬデータ（ＰＤＳＣＨ）の繰り返し送信にも同様に適用できる。また、以下の実施形態は、データ以外の信号及び／又はチャネルの繰り返し送信に適用してもよい。
【００４７】
以下の説明において、ＤＬにおいてＤＬデータを送信するＮＷ、及び／又はＵＬにおいてＵＬデータを送信するＵＥは、送信装置と読み替えてもよい。また、ＤＬにおいてＵＬデータを受信するＮＷ、及び／又はＤＬにおいてＤＬデータを送信するＵＥは、受信装置と読み替えてもよい。
【００４８】
（第１の態様）
第１の態様では、データマッピングタイプＡの繰り返し送信が、スロットアグリゲーション機構を用いる。
【００４９】
ＵＥは、スロットアグリゲーションを設定されてもよい。ＵＥは、データマッピングタイプに基づいて、スロットアグリゲーション機構を用いるか否かを決定してもよい。
【００５０】
スロットアグリゲーションの要件は、複数スロットにわたって同じシンボル割り当てを用いること、１スロット当たり１つのＴＢ送信を行うこと、１つのＴＢ送信がスロット境界をまたがないこと、の少なくとも１つを含んでもよい。
【００５１】
所定の条件が満たされる場合、スロットアグリゲーションが適用されてもよい。例えば、所定の条件は、データマッピングタイプＡが設定され、且つＫ＞１が設定されることであってもよい。スロットアグリゲーションは、Ｋ個の連続スロットにわたって同じシンボル割り当て（同じ開始シンボル及び同じ長さ）を適用してもよい。スロットアグリゲーションを用いる送信が、シングル送信レイヤに限定されてもよい。
【００５２】
例えば、ＵＥが、ＣＧタイプ１又はＣＧタイプ２のＰＵＳＣＨ送信に対し、ＰＵＳＣＨマッピングタイプＡを設定され、且つＫ＞１を設定された場合、ＵＥは、Ｋ個の連続スロットにわたって同じシンボル割り当て（同じ開始シンボル及び同じ長さ）が適用する。ＰＵＳＣＨは、シングル送信レイヤに限定される。ＵＥは、各スロット内の同じシンボル割り当てを適用するＫ個の連続スロットにわたって、ＴＢを繰り返し送信する。
【００５３】
図２の例では、繰り返し回数Ｋが２に設定され、ＰＵＳＣＨマッピングタイプＡが設定され、ＰＵＳＣＨの長さが７に設定される。ＰＵＳＣＨマッピングタイプＡに従って、ＰＵＳＣＨの開始はシンボル＃０である。
【００５４】
ＵＥは、スロット＃ｎのシンボル＃０−＃６へＰＵＳＣＨ送信＃１（送信＃１）を配置する。更に、ＵＥは、スロットアグリゲーション機構に従うため、スロット＃ｎ＋１において、スロット＃ｎのＰＵＳＣＨ送信と同じシンボル＃０−＃６へＰＵＳＣＨ送信＃２（送信＃２）を配置する。ＮＷも、ＵＥと同様に繰り返し送信のリソースを決定し、繰り返し送信を受信する。
【００５５】
第１の態様によれば、ＴＢ送信を行うＵＥ及び／又はＮＷは、データマッピングタイプＡを有するＴＢ送信のスロットアグリゲーション及び繰り返し送信を行うことができる。ＴＢ受信を行うＵＥ及び／又はＮＷは、スロットアグリゲーション及び繰り返し送信を認識でき、ＴＢを正しく受信できる。
【００５６】
（第２の態様）
第２の態様では、所定の条件の下で、データマッピングタイプＢの繰り返し送信が、スロットアグリゲーション機構及び／又はミニスロットアグリゲーション機構を用いる。
【００５７】
ＵＥは、スロットアグリゲーション及び／又はミニスロットアグリゲーションを設定されてもよい。ＵＥは、少なくともデータマッピングタイプに基づいて、スロットアグリゲーション機構及び／又はミニスロットアグリゲーション機構を用いるか否かを決定してもよい。
【００５８】
ミニスロットアグリゲーションの要件は、１スロット当たり１よりも多いＴＢ送信を行うこと、１スロット内の複数のＴＢ送信が連続すること、１つのＴＢ送信がスロット境界をまたがないこと、の少なくとも１つを含んでもよい。
【００５９】
ミニスロットアグリゲーションを用いる場合、１スロット内において繰り返し送信が完了してもよい。
【００６０】
次のオプション２−１、２−２、２−３の少なくとも１つが用いられてもよい。
【００６１】
＜オプション２−１＞
所定の条件の下で、データマッピングタイプＢの繰り返し送信が、スロットアグリゲーション機構を用いる。
【００６２】
所定の条件は、次の条件２−１−１、２−１−２、２−１−３の少なくとも１つを満たすことであってもよい。
【００６３】
（条件２−１−１）
１つのデータ（ＴＢ）送信期間の長さが７シンボル（１／２スロット）以上である。なお、条件２−１−１は、１つのデータ送信期間の長さが７シンボル（１／２スロット）よりも長いことであってもよい。
【００６４】
（条件２−１−２）
準静的（semi-static）ＤＬ／ＵＬ構成が、データマッピングタイプＢに従ってスケジュールされたデータの繰り返し送信に対し、スロットアグリゲーション及びミニスロットアグリゲーションのうち、スロットアグリゲーションのみを許す。
【００６５】
ここで、準静的ＤＬ／ＵＬ構成がスロットアグリゲーションのみを許すとは、準静的ＤＬ／ＵＬ構成に従うと、スケジュールされたＴＢ送信をスロット内で繰り返し送信できないこと、準静的ＤＬ／ＵＬ構成に基づくＵＬシンボルを用いて、スケジュールされたＴＢ送信を１回だけ送信できること、と言い換えてもよい。
【００６６】
なお、データマッピングタイプＢに従ってスケジュールされたデータの繰り返し送信に対し、スロットアグリゲーションのみが可能であること、が条件２−１−２に含まれてもよいし、別の条件として規定されてもよい。この条件は、ＴＢ送信の開始及び長さに基づいて、スケジュールされたスロットにおいて、ＴＢ送信の後に当該ＴＢ送信を繰り返すのに十分なシンボルがないこと、と言い換えてもよい。
【００６７】
図３の例では、繰り返し回数Ｋが２に設定され、ＰＵＳＣＨマッピングタイプＢが設定され、開始がシンボル＃１０であり長さが４シンボルであるＰＵＳＣＨがスケジュールされる。
【００６８】
ＵＥは、スケジュールされたＰＵＳＣＨをスロットｎ内で繰り返し送信できないため、条件２−１−２を満たす。したがって、ＵＥは、スロットアグリゲーション機構を用いる。
【００６９】
ＵＥは、スロット＃ｎのシンボル＃１０−＃１３へＰＵＳＣＨ送信＃１（送信＃１）を配置する。更に、ＵＥは、スロットアグリゲーション機構に従うため、スロット＃ｎ＋１において、スロット＃ｎのＰＵＳＣＨ送信と同じシンボル＃１０−＃１３へＰＵＳＣＨ送信＃２（送信＃２）を配置する。ＮＷも、ＵＥと同様に繰り返し送信のリソースを決定し、繰り返し送信を受信する。
【００７０】
（条件２−１−３）
ＴＢ送信が動的グラント（dynamic  grant）に基づく。
【００７１】
オプション２−１によれば、ＴＢ送信を行うＵＥ及び／又はＮＷは、データマッピングタイプＢを有するＴＢ送信が所定の条件を満たす場合に、スロットアグリゲーション機構を用いて繰り返し送信を正しく行うことができる。ＴＢ受信を行うＮＷ及び／又はＵＥは、スロットアグリゲーションを用いる繰り返し送信を認識でき、ＴＢを正しく受信できる。
【００７２】
＜オプション２−２＞
所定の条件の下で、データマッピングタイプＢの繰り返し送信が、ミニスロットアグリゲーション機構を用いる。
【００７３】
所定の条件は、次の条件２−２−１、２−２−２の少なくとも１つを満たすことであってもよい。
【００７４】
（条件２−２−１）
１つのＰＵＳＣＨ（データ送信期間）の長さが７シンボル（１／２スロット）以上であり、且つ準静的ＤＬ／ＵＬ構成が、データマッピングタイプＢに従ってスケジュールされたデータの繰り返し送信に対し、スロットアグリゲーション及びミニスロットアグリゲーションのうち、ミニスロットアグリゲーションのみを許す。
【００７５】
ここで、準静的ＤＬ／ＵＬ構成がミニスロットアグリゲーションのみを許すとは、準静的ＤＬ／ＵＬ構成に従うと、スケジュールされたＰＵＳＣＨをスロット内で繰り返し送信できる場合、準静的ＤＬ／ＵＬ構成に基づくＵＬシンボルを用いて、スケジュールされたＰＵＳＣＨを２回以上送信できる場合、と言い換えてもよい。
【００７６】
なお、データマッピングタイプＢに従ってスケジュールされたデータの繰り返し送信に対し、スロットアグリゲーションのみが可能であること、が条件２−２−１に含まれてもよいし、別の条件として規定されてもよい。この条件は、ＴＢ送信の開始及び長さに基づいて、スケジュールされたスロットにおいて、ＴＢ送信の後に当該ＴＢ送信を繰り返すのに十分なシンボルがあること、と言い換えられてもよい。
【００７７】
図４の例では、繰り返し回数Ｋが４に設定され、ＰＵＳＣＨのマッピングタイプＢが設定され、開始がシンボル＃４であり長さが４シンボルであるＰＵＳＣＨがスケジュールされる。
【００７８】
ＵＥは、スケジュールされたＰＵＳＣＨをスロットｎ内で繰り返し送信できるため、条件２−２−１を満たす。したがって、ＵＥは、ミニスロットアグリゲーション機構を用いる。
【００７９】
ＵＥは、スロット＃ｎのシンボル＃４−＃７へＰＵＳＣＨ送信＃１（送信＃１）を配置する。更に、ＵＥは、ミニスロットアグリゲーション機構に従うため、ＰＵＳＣＨ送信＃１に続くシンボル＃８−＃１１へＰＵＳＣＨ送信＃２（送信＃２）を配置する。ＰＵＳＣＨ送信＃２に続くＰＵＳＣＨ送信をスロット＃ｎ内に配置できない（当該ＰＵＳＣＨ送信がスロット境界を跨ぐことになる）ため、ＵＥは、ＰＵＳＣＨ送信＃３（送信＃３）を次のスロット＃ｎ＋１へ延期し、配置可能なシンボル＃０−＃３へ配置する。更に、ＵＥは、ＰＵＳＣＨ送信＃３に続くシンボル＃４−＃７へＰＵＳＣＨ送信＃４（送信＃４）を配置する。ＮＷも、ＵＥと同様に繰り返し送信のリソースを決定し、繰り返し送信を受信する。
【００８０】
（条件２−２−２）
ＴＢ送信が設定グラント（configured  grant）に基づく。
【００８１】
なお、条件２−１−３と条件２−２−２が、逆であってもよい。
【００８２】
オプション２−２によれば、ＴＢ送信を行うＵＥ及び／又はＮＷは、データマッピングタイプＢを有するＴＢ送信が所定の条件を満たす場合に、ミニスロットアグリゲーションを用いて繰り返し送信を正しく行うことができる。ＴＢ受信を行うＮＷ及び／又はＵＥは、ミニスロットアグリゲーションを用いる繰り返し送信を認識でき、ＴＢを正しく受信できる。
【００８３】
＜オプション２−３＞
所定の条件の下で、データマッピングタイプＢの繰り返し送信が、スロットアグリゲーション機構及びミニスロットアグリゲーション機構の両方を用いてもよい。
【００８４】
所定の条件は、１つのデータ（ＴＢ）送信期間の長さが７シンボル（１／２スロット）よりも短いであることであってもよい。所定の条件は、１つのデータ送信期間の長さが７シンボル（１／２スロット）以下であることであってもよい。
【００８５】
この所定の条件を満たす場合、次の動作２−３−１、２−３−２が行われてもよい。
【００８６】
（動作２−３−１）
準静的ＤＬ／ＵＬ構成が、データマッピングタイプＢに従ってスケジュールされたデータの繰り返し送信のミニスロットアグリゲーションを許すスロットにおいては、ミニスロットアグリゲーション機構が用いられてもよい。
【００８７】
ここで、準静的ＤＬ／ＵＬ構成がミニスロットアグリゲーションを許すスロットとは、準静的ＤＬ／ＵＬ構成に従うと、スケジュールされたＰＵＳＣＨをスロット内で繰り返し送信できるスロット、準静的ＤＬ／ＵＬ構成に基づくＵＬシンボルを用いて、スケジュールされたＰＵＳＣＨを２回以上送信できるスロット、と言い換えてもよい。
【００８８】
なお、このスロットの代わりに、データマッピングタイプＢに従ってスケジュールされたデータの繰り返し送信に対し、スロットアグリゲーションが可能であるスロット、が用いられてもよい。このスロットは、ＴＢ送信の開始及び長さに基づいて、スケジュールされたスロットにおいて、ＴＢ送信の後に当該ＴＢ送信を繰り返すのに十分なシンボルがあるスロット、と言い換えられてもよい。
【００８９】
（動作２−３−２）
準静的ＤＬ／ＵＬ構成が、データマッピングタイプＢに従ってスケジュールされたデータの繰り返し送信のスロットアグリゲーションを許すスロットにおいては、スロットアグリゲーション機構が用いられてもよい。
【００９０】
ここで、準静的ＤＬ／ＵＬ構成がスロットアグリゲーションを許すスロットとは、準静的ＤＬ／ＵＬ構成に従うと、スケジュールされたＴＢ送信をスロット内で繰り返し送信できないスロット、準静的ＤＬ／ＵＬ構成に基づくＵＬシンボルを用いて、スケジュールされたＴＢ送信を１回だけ送信できるスロット、と言い換えてもよい。
【００９１】
なお、このスロットの代わりに、データマッピングタイプＢに従ってスケジュールされたデータの繰り返し送信に対し、スロットアグリゲーションのみが可能であるスロット、が用いられてもよい。このスロットは、ＴＢ送信の開始及び長さに基づいて、スケジュールされたスロットにおいて、ＴＢ送信の後に当該ＴＢ送信を繰り返すのに十分なシンボルがないスロット、と言い換えてもよい。
【００９２】
複数スロットにわたる繰り返し送信において、スロット毎に、スロットアグリゲーション機構を用いてＴＢ送信を配置するか、ミニスロットアグリゲーション機構を用いてＴＢ送信を配置するか、が決定されてもよい。複数スロットにわたる繰り返し送信に対して、スロットアグリゲーション機構を用いてＴＢ送信を配置するか、ミニスロットアグリゲーション機構を用いてＴＢ送信を配置するか、が決定されてもよい。
【００９３】
動作２−３−１、２−３−２に対する優先順位が、ＮＷによって設定されてもよいし、仕様によって規定されてもよい。例えば、ＵＥは、或るスロットに対して動作２−３−１が可能であるか否かを判定し、動作２−３−１が可能であれば行い、そうでなければ、当該スロットに対して動作２−３−２が可能であるか否かを判定し、動作２−３−２が可能であれば行ってもよい。例えば、ＵＥは、Ｋ個の繰り返し送信に対して動作２−３−１が可能であるか否かを判定し、動作２−３−１が可能であれば行い、そうでなければ、当該繰り返し送信に対して動作２−３−２が可能であるか否かを判定し、動作２−３−２が可能であれば行ってもよい。動作２−３−１、２−３−２の優先順位が逆であってもよい。
【００９４】
オプション２−３によれば、ＴＢ送信を行うＵＥ及び／又はＮＷは、データマッピングタイプＢを有するＴＢ送信が所定の条件を満たす場合に、スロットアグリゲーション及び／又はミニスロットアグリゲーションを用いて繰り返し送信を正しく行うことができる。ＴＢ受信を行うＮＷ及び／又はＵＥは、スロットアグリゲーション及び／又はミニスロットアグリゲーションを用いる繰り返し送信を認識でき、ＴＢを正しく受信できる。また、オプション２−３は、オプション２−１、２−２において繰り返し送信できない場合に、繰り返し送信できる場合があり、柔軟な繰り返し送信を行うことができる。
【００９５】
（第３の態様）
第３の態様では、データマッピングタイプＢの繰り返し送信の時間リソースに基づいて、ミニスロットアグリゲーション又はスロットアグリゲーションが決定される。
【００９６】
データ送信に対して、データマッピングタイプＢを設定され、Ｋに１よりも大きい値を設定された（複数個の繰り返し送信を設定された）場合、データマッピングタイプＢの繰り返し送信の時間リソースが所定条件を満たす場合にミニスロットアグリゲーションが行われてもよい。所定条件は、１スロット内の時間リソースが、Ｋ個の繰り返し送信の全てを収めることができることであってもよいし、ＣＧ送信の周期が所定時間以下であること（又はＣＧ送信の周期が所定時間よりも小さいこと）であってもよい。所定時間は１スロットであってもよい。
【００９７】
データマッピングタイプＢの繰り返し送信の時間リソースが所定条件を満たす場合、ＵＥは、Ｋ個の繰り返し送信の全てを、１スロット内にマップしてもよい（ミニスロットアグリゲーション）。例えば、ＵＥは、開始シンボル及び長さの組み合わせ指示に基づいて、最初の繰り返し送信機会をマップし、残りの繰り返し送信機会を、最初の繰り返し送信に連続してマップしてもよい。各繰り返し送信の長さは、組み合わせ指示に基づく長さである。
【００９８】
このミニスロットアグリゲーションを適用する条件（所定条件）は、第２の態様のオプション２−２の条件と組み合わせられてもよい。
【００９９】
そうでない場合、ＵＥは、Ｋ個の連続スロットにわたってＫ個の繰り返し送信の全てをマップしてもよい（スロットアグリゲーション）。各スロット内の繰り返し送信に対して同じシンボル割り当てを適用してもよい。例えば、ＵＥは、各スロット内の繰り返し送信を、開始シンボル及び長さの組み合わせ指示に従う時間リソースにマップしてもよい。
【０１００】
このスロットアグリゲーションを適用する条件は、第２の態様のオプション２−１の条件と組み合わせられてもよい。
【０１０１】
所定条件が、１スロット内のリソースが、Ｋ個の繰り返し送信の全てを収めることができることである場合の例について説明する。
【０１０２】
図５に示すように、Ｋ＝２が設定され、開始シンボルがシンボル＃４に設定され、ＰＵＳＣＨ長が４シンボルに設定された場合、２個の繰り返し送信が１スロットに収まるため、ＵＥは、スロット＃ｎにおいて、シンボル＃４−＃７に繰り返し送信＃１（送信＃１）をマップし、続くシンボル＃８−＃１１に繰り返し送信＃２（送信＃２）をマップする。
【０１０３】
図６に示すように、Ｋ＝２が設定され、開始シンボルがシンボル＃８に設定され、ＰＵＳＣＨ長が４シンボルに設定された場合、２個の繰り返し送信が１スロットに収まらないため、ＵＥは、スロット＃ｎにおいて、シンボル＃８−＃１１に繰り返し送信＃１（送信＃１）をマップし、スロット＃ｎ＋１において、繰り返し送信＃１と同じシンボル＃８−＃１１に繰り返し送信＃２（送信＃２）をマップする。
【０１０４】
ＤＧ送信に適用する場合とＣＧ送信に適用する場合との具体例について説明する。
【０１０５】
＜ＤＧ送信＞
ＵＥは、ＤＧ送信のＰＵＳＣＨに対し、準静的（semi-static）上位レイヤシグナリング（例えば、ＲＲＣシグナリング）によって、繰り返し送信のためのＫを設定されてもよい。
【０１０６】
ＵＥは、ＰＵＳＣＨの時間領域リソース割り当てのためのテーブルを上位レイヤシグナリング（例えば、ＲＲＣシグナリング）によって設定されてもよい。当該テーブルの各エントリ（行）は、ＤＣＩからＰＵＳＣＨまでのスロット数を示すスロットオフセットＫ２、スロットにおける送信の開始シンボル及び長さの組み合わせ指示（Start  and  Length  Indicator  Value：ＳＬＩＶ）、ＰＵＳＣＨ送信に適用されるマッピングタイプなど、を含んでもよい。ＵＥは、ＤＣＩによって、ＰＵＳＣＨの送信のスケジュールされる場合、当該ＤＣＩ内の時間領域リソース割り当てフィールドが、当該テーブルのエントリを示してもよい。
【０１０７】
ＤＧ送信のＰＵＳＣＨに対し、Ｋが１よりも大きい値に設定され、且つ当該時間領域リソース割り当てフィールドがＰＵＳＣＨマッピングタイプＢを示す場合、ＵＥは、データマッピングタイプＢの繰り返し送信の時間リソースミニスロットアグリゲーション又はスロットアグリゲーションを決定してもよい。
【０１０８】
１スロット内のリソースが、Ｋ個の繰り返し送信の全てを収めることができる場合、ＵＥは、Ｋ個の繰り返し送信の全てを、１スロット内にマップしてもよい。ここで、ＵＥは、当該時間領域リソース割り当てフィールドによって指定されたＳＬＩＶに基づいて最初の繰り返し送信機会（occasion、時間リソース、シンボル）をマップし、残りの繰り返し送信を、最初の繰り返し送信から連続するシンボルにマップしてもよい。各繰り返し送信の長さは、等しい。
【０１０９】
そうでない場合、ＵＥは、Ｋ個の連続スロットにわたってＫ個の繰り返し送信の全てをマップしてもよい。ここで、ＵＥは、各スロット内の繰り返し送信に対して同じシンボル割り当てを適用してもよい。例えば、ＵＥは、当該時間領域リソース割り当てフィールドによって指定されたＳＬＩＶに従って、各スロット内の同じシンボル位置に繰り返し送信をマップしてもよい。
【０１１０】
＜ＣＧ送信＞
ＣＧ送信パラメータは、上位レイヤシグナリング（例えば、ＲＲＣシグナリング）によって設定されてもよい。ＣＧ送信パラメータは、データマッピングタイプ、Ｋ、ＣＧ送信の周期、スロットにおけるＣＧ送信の開始シンボル及び長さの組み合わせ指示（ＳＬＩＶ）などを含んでもよい。
【０１１１】
ＵＥが、ＣＧ送信のＰＵＳＣＨに対し、データマッピングタイプＢを設定され、ＵＥがＫに１よりも大きい値を設定される場合、ＵＥは、次の決定方法１、２の１つによってミニスロットアグリゲーション又はスロットアグリゲーションを決定してもよい。
【０１１２】
《決定方法１》
１スロット内のリソースが、Ｋ個の繰り返し送信の全てを収めることができる場合、ＵＥは、Ｋ個の繰り返し送信の全てを、１スロット内にマップしてもよい。ここで、ＵＥは、開始シンボル及び長さの組み合わせ指示（ＳＬＩＶ）に基づいて、最初の繰り返し送信機会をマップし、残りの繰り返し送信機会を、最初の繰り返し送信に連続してマップしてもよい。各繰り返し送信の長さは、等しい。
【０１１３】
そうでない場合、ＵＥは、Ｋ個の連続スロットにわたってＫ個の繰り返し送信の全てをマップしてもよい。ここで、ＵＥは、各スロット内の繰り返し送信に対して同じシンボル割り当てを適用してもよい。例えば、ＵＥは、各スロット内の繰り返し送信を、開始シンボル及び長さの組み合わせ指示（ＳＬＩＶ）に従う時間リソースにマップしてもよい。
【０１１４】
１スロット内の繰り返し送信と、Ｋスロットにわたる繰り返し送信の両方において、ＰＵＳＣＨは、シングル送信レイヤに限定されてもよい。
【０１１５】
《決定方法２》
ＣＧ送信の周期が１スロット以下である場合、ＵＥは、開始シンボル及び長さの組み合わせ指示（ＳＬＩＶ）に基づいて、最初の繰り返し送信の機会をマップし、残りの繰り返し送信の機会を、最初の繰り返し送信に連続してマップしてもよい。各繰り返し送信の長さは、等しい。
【０１１６】
そうでない場合、ＵＥは、Ｋ個の連続スロットにわたってＫ個の繰り返し送信の全てをマップしてもよい。ここで、ＵＥは、各スロット内の繰り返し送信に対して同じシンボル割り当てを適用してもよい。例えば、ＵＥは、開始シンボル及び長さの組み合わせ指示（ＳＬＩＶ）に従って、各スロット内の同じシンボル位置に繰り返し送信をマップしてもよい。
【０１１７】
第３の態様によれば、ＵＥ及びＮＷは、データマッピングタイプＢの繰り返し送信を設定された場合に、スロットアグリゲーション又はミニスロットアグリゲーションを適切に選択でき、繰り返し送信を適切に行うことができる。
【０１１８】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【０１１９】
図７は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１２０】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１２１】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１２２】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１２３】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１２４】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１２５】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１２６】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１２７】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１２８】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１２９】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１３０】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１３１】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１３２】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１３３】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１３４】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１３５】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１３６】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１３７】
（無線基地局）
図８は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１３８】
下りリンクによって無線基地局１０からユーザ端末２０に送信されるユーザデータは、上位局装置３０から伝送路インターフェース１０６を介してベースバンド信号処理部１０４に入力される。
【０１３９】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１４０】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１４１】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１４２】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１４３】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１４４】
また、送受信部１０３は、少なくとも１つのスロットにわたる期間において、物理共有チャネル（例えば、ＰＤＳＣＨ）を繰り返し送信してもよい。また、送受信部１０３は、データマッピングタイプＢ及び複数の繰り返し送信を設定された物理共有チャネルを送信してもよい。
【０１４５】
また、送受信部１０３は、少なくとも１つのスロットにわたる期間において、繰り返し送信される物理共有チャネル（例えば、ＰＵＳＣＨ）を受信してもよい。また、送受信部１０３は、データマッピングタイプＢ及び複数の繰り返し送信を設定された物理共有チャネルを受信してもよい。
【０１４６】
図９は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１４７】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１４８】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１４９】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１５０】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１５１】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１５２】
また、制御部３０１は、物理共有チャネル（例えば、ＰＤＳＣＨ）のマッピングタイプに基づいて、各スロットにおいて物理共有チャネルの複数の送信を行う（例えば、ミニスロットアグリゲーション）か否かを決定してもよい。
【０１５３】
また、制御部３０１は、物理共有チャネルの開始シンボルがスロットの先頭の少なくとも１つのシンボルに制限されるマッピングタイプＡと、物理共有チャネルの開始シンボルが制限されないマッピングタイプＢと、の一つを設定されてもよい。
【０１５４】
また、制御部３０１は、物理共有チャネルのマッピングタイプと、スロット内の各シンボルに対して設定される送信方向（例えば、ＤＬ／ＵＬ構成）と、物理共有チャネルに対して設定される開始シンボル及び長さと、の少なくとも１つに基づいて、各スロットにおいて物理共有チャネルの複数の送信を行うか否かを決定してもよい。
【０１５５】
また、１つのスロットにおいて物理共有チャネルの１つの送信を行う（例えば、スロットアグリゲーション）場合、送信は、直前のスロットにおける物理共有チャネルの同一のシンボルにおいて行われ、１つのスロットにおいて物理共有チャネルの複数の送信を行う（例えば、ミニスロットアグリゲーション）場合、複数の送信は、連続してもよい。
【０１５６】
また、制御部３０１は、物理共有チャネル（例えば、ＰＵＳＣＨ）のマッピングタイプに基づいて、各スロットにおいて物理共有チャネルの複数の送信が行われるか否かを決定してもよい。
【０１５７】
また、制御部３０１は、前記物理共有チャネル（例えば、ＰＤＳＣＨ）の時間リソースが所定条件を満たす場合、１スロット内に前記複数の繰り返し送信を行うことを制御してもよい。
【０１５８】
また、前記所定条件は、前記複数の繰り返し送信が１スロット内に収まることであってもよい。
【０１５９】
また、前記所定条件は、設定グラントに基づく前記物理共有チャネルの周期が１スロット以下であることであってもよい。
【０１６０】
また、前記物理共有チャネルの時間リソースが所定条件を満たす場合、制御部３０１は、前記物理共有チャネルに設定された開始シンボルからの連続シンボルに、前記複数の繰り返し送信をマップしてもよい。
【０１６１】
また、前記物理共有チャネルの時間リソースが所定条件を満たさない場合、制御部３０１は、繰り返し回数の連続するスロットのそれぞれにおいて、前記物理共有チャネルに設定された開始シンボルからの連続シンボルに、１つの繰り返し送信をマップしてもよい。
【０１６２】
また、制御部３０１は、前記物理共有チャネル（例えば、ＰＵＳＣＨ）の時間リソースが所定条件を満たす場合、１スロット内の前記複数の繰り返し送信の受信を制御してもよい。
【０１６３】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１６４】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１６５】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１６６】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１６７】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１６８】
測定部３０５は、受信した信号に関する測定を実施する。測定部３０５は、本発明に係る技術分野での共通認識に基づいて説明される測定器、測定回路又は測定装置から構成することができる。
【０１６９】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１７０】
（ユーザ端末）
図１０は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１７１】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１７２】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１７３】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１７４】
また、送受信部２０３は、少なくとも１つのスロットにわたる期間において、物理共有チャネル（例えば、ＰＵＳＣＨ）を繰り返し送信してもよい。また、送受信部２０３は、データマッピングタイプＢ及び複数の繰り返し送信を設定された物理共有チャネルを送信してもよい。
【０１７５】
また、送受信部２０３は、少なくとも１つのスロットにわたる期間において、繰り返し送信される物理共有チャネル（例えば、ＰＤＳＣＨ）を受信してもよい。また、送受信部２０３は、データマッピングタイプＢ及び複数の繰り返し送信を設定された物理共有チャネルを受信してもよい。
【０１７６】
図１１は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１７７】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１７８】
制御部４０１は、ユーザ端末２０全体の制御を実施する。制御部４０１は、本発明に係る技術分野での共通認識に基づいて説明されるコントローラ、制御回路又は制御装置から構成することができる。
【０１７９】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１８０】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１８１】
また、制御部４０１は、物理共有チャネル（例えば、ＰＵＳＣＨ）のマッピングタイプに基づいて、各スロットにおいて物理共有チャネルの複数の送信を行う（例えば、ミニスロットアグリゲーション）か否かを決定してもよい。
【０１８２】
また、制御部４０１は、物理共有チャネルの開始シンボルがスロットの先頭の少なくとも１つのシンボルに制限されるマッピングタイプＡと、物理共有チャネルの開始シンボルが制限されないマッピングタイプＢと、の一つを設定されてもよい。
【０１８３】
また、制御部４０１は、物理共有チャネルのマッピングタイプと、スロット内の各シンボルに対して設定される送信方向（例えば、ＤＬ／ＵＬ構成）と、物理共有チャネルに対して設定される開始シンボル及び長さと、の少なくとも１つに基づいて、各スロットにおいて物理共有チャネルの複数の送信を行うか否かを決定してもよい。
【０１８４】
また、１つのスロットにおいて物理共有チャネルの１つの送信を行う（例えば、スロットアグリゲーション）場合、送信は、直前のスロットにおける物理共有チャネルの同一のシンボルにおいて行われ、１つのスロットにおいて物理共有チャネルの複数の送信を行う（例えば、ミニスロットアグリゲーション）場合、複数の送信は、連続してもよい。
【０１８５】
また、制御部４０１は、物理共有チャネル（例えば、ＰＤＳＣＨ）のマッピングタイプに基づいて、各スロットにおいて物理共有チャネルの複数の送信が行われるか否かを決定してもよい。
【０１８６】
また、制御部４０１は、前記物理共有チャネル（例えば、ＰＵＳＣＨ）の時間リソースが所定条件を満たす場合、１スロット内に前記複数の繰り返し送信を行うことを制御してもよい。
【０１８７】
また、前記所定条件は、前記複数の繰り返し送信が１スロット内に収まることであってもよい。
【０１８８】
また、前記所定条件は、設定グラントに基づく前記物理共有チャネルの周期が１スロット以下であることであってもよい。
【０１８９】
また、前記物理共有チャネルの時間リソースが所定条件を満たす場合、制御部４０１は、前記物理共有チャネルに設定された開始シンボルからの連続シンボルに、前記複数の繰り返し送信をマップしてもよい。
【０１９０】
また、前記物理共有チャネルの時間リソースが所定条件を満たさない場合、制御部４０１は、繰り返し回数の連続するスロットのそれぞれにおいて、前記物理共有チャネルに設定された開始シンボルからの連続シンボルに、１つの繰り返し送信をマップしてもよい。
【０１９１】
また、制御部４０１は、前記物理共有チャネル（例えば、ＰＤＳＣＨ）の時間リソースが所定条件を満たす場合、１スロット内の前記複数の繰り返し送信の受信を制御してもよい。
【０１９２】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１９３】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１９４】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１９５】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１９６】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１９７】
測定部４０５は、受信した信号に関する測定を実施する。測定部４０５は、本発明に係る技術分野での共通認識に基づいて説明される測定器、測定回路又は測定装置から構成することができる。
【０１９８】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１９９】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。
【０２００】
例えば、本開示の一実施形態における無線基地局、ユーザ端末などは、本開示の無線通信方法の処理を行うコンピュータとして機能してもよい。図１２は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２０１】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２０２】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０２０３】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２０４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２０５】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２０６】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２０７】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２０８】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２０９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２１０】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２１１】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２１２】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２１３】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２１４】
ここで、ニューメロロジーとは、ある信号又はチャネルの送信及び受信の少なくとも一方に適用される通信パラメータであってもよい。例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。
【０２１５】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２１６】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルで構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２１７】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０２１８】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２１９】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２２０】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２２１】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２２２】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２２３】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２２４】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。
【０２２５】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。
【０２２６】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２２７】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２２８】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２２９】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２３０】
本開示においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２３１】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２３２】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２３３】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２３４】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２３５】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２３６】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２３７】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２３８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２３９】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２４０】
本開示において使用する「システム」及び「ネットワーク」という用語は、互換的に使用され得る。
【０２４１】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）」、「送受信ポイント（transmission/reception  point）」、「セル」、「セクタ」、「セルグループ」、「キャリア」、「コンポーネントキャリア」、「帯域幅部分（ＢＷＰ：Bandwidth  Part）」などの用語は、互換的に使用され得る。基地局は、マクロセル、スモールセル、フェムトセル、ピコセルなどの用語で呼ばれる場合もある。
【０２４２】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２４３】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２４４】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２４５】
基地局及び移動局の少なくとも一方は、送信装置、受信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。
【０２４６】
また、本開示における無線基地局は、ユーザ端末で読み替えてもよい。例えば、無線基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の無線基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２４７】
同様に、本開示におけるユーザ端末は、無線基地局で読み替えてもよい。この場合、上述のユーザ端末２０が有する機能を無線基地局１０が有する構成としてもよい。
【０２４８】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２４９】
本開示において説明した各態様／実施形態は単独で用いてもよいし、組み合わせて用いてもよいし、実行に伴って切り替えて用いてもよい。また、本開示で説明した各態様／実施形態の処理手順、シーケンス、フローチャートなどは、矛盾の無い限り、順序を入れ替えてもよい。例えば、本開示で説明した方法については、例示的な順序で様々なステップの要素を提示しており、提示した特定の順序に限定されない。
【０２５０】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２５１】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２５２】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２５３】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。
【０２５４】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２５５】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２５６】
また、「判断（決定）」は、「想定する（assuming）」、「期待する（expecting）」、「みなす（considering）」などで読み替えられてもよい。
【０２５７】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２５８】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２５９】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２６０】
本開示において、「ＡとＢが異なる」という用語は、「ＡとＢが互いに異なる」ことを意味してもよい。「離れる」、「結合される」などの用語も同様に解釈されてもよい。
【０２６１】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２６２】
本開示において、例えば、英語でのa,  an及びtheのように、翻訳によって冠詞が追加された場合、本開示は、これらの冠詞の後に続く名詞が複数形であることを含んでもよい。
【０２６３】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2019193732.tif 000003
【図２】
2019193732.tif 000004
【図３】
2019193732.tif 000005
【図４】
2019193732.tif 000006
【図５】
2019193732.tif 000007
【図６】
2019193732.tif 000008
【図７】
2019193732.tif 000009
【図８】
2019193732.tif 000010
【図９】
2019193732.tif 000011
【図１０】
2019193732.tif 000012
【図１１】
2019193732.tif 000013
【図１２】
2019193732.tif 000014
【国際調査報告】
2019193732.tif 000015
2019193732.tif 000016
2019193732.tif 000017
2019193732.tif 000018